(57)【要約】【課題】  意匠性が良く、梁に対して屋根部を自由な位置に取付けることができる簡易建物を提供する。【解決手段】  本発明にかかる簡易建物１は、梁５と、補強材１９と、垂木５３とを備え、梁５は、上面にボルト取付部２５と、垂木取付部２７とを有し、垂木取付部２７がボルト取付部２５のボルト２１の頭部２１ａよりも立ち上げてあり、補強材１９は梁５の内部に設けてあり、垂木５３は垂木取付部２７に固定し、ボルト取付部２５に取付けたボルト２１で梁５に補強材１９を固定してある。【選択図】図１
2018199978.tif 000002
【特許請求の範囲】
【請求項１】
梁と、補強材と、垂木とを備え、梁は、上面にボルト取付部と、垂木取付部とを有し、垂木取付部がボルト取付部のボルトの頭部よりも立ち上げてあり、補強材は梁の内部に設けてあり、垂木は垂木取付部に固定し、ボルト取付部に取付けたボルトで梁に補強材を固定してある簡易建物。
【発明の詳細な説明】
【技術分野】
【０００１】
本発明は、カーポート等の簡易建物に関する。
【背景技術】
【０００２】
一般に、カーポート等の簡易建物では、梁を連結して用いる場合がある。従来、梁を連結する場合、図８に示すように、一方の梁１０１ａと他方の梁１０１ｂの内部に補強材１０３を設けて、一方の梁１０１ａの端と他方の梁１０１ｂの端を突き合せた後、一方及び他方の梁１０１ａ、１０１ｂの側面から複数のボルト１０５で梁１０１ａ、１０１ｂと補強材１０３とを固定していた。
一方、敷地の状況に応じて、簡易建物の屋根部を梁の長手方向の所望の位置に取付けたいという要求があった。
【発明の概要】
【発明が解決しようとする課題】
【０００３】
しかし、従来の簡易建物（カーポート）では、梁１０１（１０１ａ，１０１ｂ）の側面にボルト１０５を設けているので意匠性が悪いという問題があった。
これに対して、梁の上面にボルトを設けると、ボルトの頭部が邪魔になって、所望の位置に垂木を取付けることができず、屋根部の取付け位置が制限され、梁に対して屋根部を自由な位置に取付けることができないという問題があった。
【０００４】
そこで本発明は、意匠性が良く、梁に対して屋根部を自由な位置に取付けることができる簡易建物の提供を目的とする。
【課題を解決するための手段】
【０００５】
請求項１に記載の発明は、梁と、補強材と、垂木とを備え、梁は、上面にボルト取付部と、垂木取付部とを有し、垂木取付部がボルト取付部のボルトの頭部よりも立ち上げてあり、補強材は梁の内部に設けてあり、垂木は垂木取付部に固定し、ボルト取付部に取付けたボルトで梁に補強材を固定してある簡易建物である。
【発明の効果】
【０００６】
請求項１に記載の発明によれば、ボルトは梁の上面に設けられており、側面に露出しないので意匠性が良い。
また、ボルトを梁の上面に設けても、垂木取付部がボルト取付部のボルトの頭部よりも立ち上げてあるため、ボルトの頭部と垂木とが干渉せず、梁に対して屋根部を自由な位置に取付けることができる。
【図面の簡単な説明】
【０００７】
【図１】本発明の実施の形態に係る簡易建物であって、図７に示すＡ−Ａ断面図である。
【図２】図１に示す梁の断面図である。
【図３】簡易建物であって、図４に示すＢ−Ｂ断面図である。
【図４】簡易建物の一部を示す平面図である。
【図５】垂木取付金具の図であり、（ａ）は正面図、（ｂ）は平面図、（ｃ）は側面図である。
【図６】簡易建物の側面図である。
【図７】簡易建物を前側から見た正面図である。
【図８】従来の簡易建物であって、（ａ）は梁に補強材とボルトを取付ける前の状態を示す斜視図、（ｂ）は梁に補強材とボルトを取付けた状態を示す縦断面図である。
【発明を実施するための形態】
【０００８】
以下に、添付図面を参照して本発明の実施の形態を説明する。図６及び図７に示すように、本実施の形態に係る簡易建物１は、カーポートであり、柱３と、梁５と、屋根部７とが設けてある。
柱３は中空形状であって、前後左右に合計４本設けられている。図１に示すように、柱３は、柱取付金具９を介してボルト１１で、各梁５の両端に固定されている。梁５の下面には、長手方向に亘って平行に２つのボルト係止溝１３が形成されている。梁５には、ボルト係止溝１３に頭部１５ａを係止したボルト１５とナット１７で柱取付金具９を固定してある。柱３には、柱取付金具９を挿入してあり、側面から止めるボルト１１で固定されている。
【０００９】
図１及び図２に示すように、各梁５は中空形状であって、図３に示すように、それぞれ２つの梁５ａ、５ｂの端６ａ、６ｂを突き合わせて、連結している。２つの梁５ａ、５ｂが連結している部分では、梁５ａ、５ｂの内部に補強材１９を挿入して梁５の強度を確保している。補強材１９は、図２に示すように、略四角筒形状を成し、上面の前側と後側に上ボルト（ボルト）２１のネジ孔１９ａが形成され、下面の前側と後側に下ボルト２３のネジ孔１９ｂが形成されている。
【００１０】
梁５は、上面の前側と後側にボルト取付部２５を、ボルト取付部２５の間に垂木取付部２７を有する。ボルト取付部２５には、上ボルト２１の軸挿通孔２５ａが形成されている。上ボルト２１は、梁５と補強材１９とを固定している。垂木取付部２７は、梁５上面の長手方向に亘って設けられている。図２に示すように、垂木取付部２７は、上ボルト２１の頭部２１ａの高さ寸法Ｈ１よりも高い、高さＨ２の寸法で立ち上げてある。
また、梁５の下面には、梁５の長手方向に２つのボルト係止溝１３が形成されている。ボルト係止溝１３には、溝壁２９に溝の開口３１を狭めるボルト係止部３３が形成され、底壁３５に下ボルト２３の軸挿通孔３５ａが形成されている。下ボルト２３は、梁５と補強材１９とを固定している。なお、下ボルト２３が取り付けられている部分のボルト係止溝１３では、ボルト係止部３３を切り欠いて溝の開口３１を広くしてある。また、ボルト係止溝１３の開口３１には、目板３７を嵌めて、ボルト係止溝１３内に納めた下ボルト２３の頭部２３ａを隠している。目板３７の下面には、図１に示すように、梁連結板３８が設けられている。図３に示すように、梁連結板３８は、梁５ａの端６ａと梁５ｂの端６ｂをまたいで、後述する梁連結キャップ３９の幅寸法で配置してあり、各梁５ａ、５ｂにネジ３８ａで固定されている。この梁連結板３８により、梁５ａの端６ａと梁５ｂの端６ｂとが開くのを防止している。
【００１１】
図１及び図３に示すように、梁５には、２つの梁５ａ、５ｂを突き合せている部分において、梁５の下面、両側面及び上面のボルト取付部２５を覆う梁連結キャップ３９が、ネジ３９ｂで固定されている。なお、符号３９ａは両面テープである。また各梁５の両端には、図４に示すように、雨水等が梁５の内部に浸入しないよう梁キャップ４１が嵌められている。
【００１２】
梁５の垂木取付部２７には、垂木取付金具４３が設けられている。垂木取付金具４３は、図５に示すように、対向する２つの側壁４５と底壁４７とでコの字形を成し、開口４９を有している。各側壁４５には、ネジ挿通孔４５ａが形成されており、底壁４７には、左右の側壁４５側にネジ挿通孔４７ａが１つずつ形成されており、底壁４７の中央側に上方に向かって突出する２つのスペーサ部４７ｂが形成されている。
【００１３】
図４に示すように、屋根部７は、垂木５３と、側枠５５と、雨樋５７と、後枠５９と、屋根パネル６１とを備えている。図３及び図４に示すように、垂木５３は、垂木取付部２７に固定された垂木取付金具４３の側壁４５、４５間に配置してあり、側壁４５、４５にネジ６３で固定されている。垂木５３の上側には、パネル押え５３ａが設けられている。側枠５５は、上側にパネル押え５５ａが設けられ、梁５の両端面にそれぞれ取付けられている。雨樋５７は、２つの雨樋を樋連結スリーブ５７ａと樋連結キャップ５７ｂで連結して形成され、複数の垂木５３の前側に取付けられている。後枠５９は、２つの後枠を後枠連結スリーブ５９ａと後枠連結キャップ５９ｂで連結して形成され、複数の垂木５３の後側に取付けられている。屋根パネル６１は、一端を垂木５３とパネル押え５３ａの間に挟み、他端を別の垂木５３とパネル押え５３ａの間又は側枠５５とパネル押え５５ａの間に挟むことによって固定されている。
【００１４】
次に、本実施の形態にかかる簡易建物１の施工について説明する。
まず、梁５と柱３の施工について説明する。図２及び図３に示すように、梁５は、２つの梁５ａ、５ｂの内部に突き合せ端側から２つの梁に亘って補強材１９を挿入して、各梁５ａ、５ｂの端６ａ、６ｂを突き合せた後に、上ボルト２１を、梁５の上面側からボルト取付部２５の軸挿通孔２５ａに挿通し、補強材１９のネジ孔１９ａに螺合し、上ボルト２１の頭部２１ａをボルト取付部２５に係止して、梁５と補強材１９とを固定する。
次に、下ボルト２３の取付位置において、梁５の下面に形成されたボルト係止溝１３のボルト係止部３３を切り欠いた後に、下ボルト２３を、梁５の下面側から底壁３５の軸挿通孔３５ａに挿通し、補強材１９のネジ孔１９ｂに螺合して、梁５と補強材１９とを固定する。ボルト係止溝１３の開口３１には、目板３７を嵌める。
次に、梁連結板３８を、梁５ａ、５ｂが連結している部分の目板３７の下面に配置して、各梁５ａ、５ｂにネジ３８ａで固定する。
次に、２つの梁５ａ、５ｂが連結している部分にある梁連結板３８の下面と梁５の前側及び後側の両側面とに各々両面テープ３９ａを貼り付け、梁連結キャップ３９を各両面テープ３９ａに貼り付けて仮固定した後に、上面側からネジ３９ｂで本固定する。
梁５の端部において、下面にあるボルト係止溝１３に、ボルト１５の頭部１５ａを梁５の端部側から挿入した後に、ボルト１５の軸を柱取付金具９に挿入して下側からナット１７で固定する。続いて、梁５の下面に固定された柱取付金具９を柱３の上端に挿入し、柱３の側面からボルト１１で柱３と柱取付金具９とを固定して、柱３を梁５の一端に連結する。柱３に梁５を架設し、柱３の下端を地面に埋設する。
【００１５】
次に、屋根部７の施工について説明する。梁５の垂木取付部２７の所望の位置で垂木取付金具４３を、ネジ挿通孔４７ａにネジ５１の軸を挿通させネジ５１を螺合して固定する。続いて垂木５３を、垂木取付金具４３の側壁４５、４５間に配置して、ネジ挿通孔４５ａからネジ６３の軸を挿通させ、ネジ６３を螺合して垂木取付金具４３に固定する。
次に、側枠５５を梁５の両端面にネジ固定する。続いて雨樋５７を、各垂木５３及び側枠５５の前端部にネジ固定する。
次に、後枠５９を、各垂木５３及び側枠５５の後端部にネジ固定する。
次に、屋根パネル６１の一端を垂木５３とパネル押え５３ａの間に挟み、他端を別の垂木５３とパネル押え５３ａの間又は側枠５５とパネル押え５５ａの間に挟んで、屋根パネル６１を固定する。
【００１６】
次に、本実施の形態に係る簡易建物１の作用効果について説明する。
本実施の形態に係る簡易建物１によれば、図１及び図２に示すように、上ボルト２１は梁５の上面に設けられており、側面に露出しないので意匠性が良い。
また、上ボルト２１を梁５の上面に設けても、垂木取付部２７がボルト取付部２５の上ボルト２１の頭部２１ａよりも立ち上げてあるため、上ボルト２１の頭部２１ａと垂木５３とが干渉せず、梁５に対して屋根部７を自由な位置に取付けることができる。例えば、梁５に対して樹木等の邪魔なものがあったとしても、上ボルト２１が設けられている梁の連結箇所、連結していない箇所のいずれにおいても、梁５に対して垂木５３を所望の位置に取付けることができるため、屋根部７を自由な位置に取付けることができる。
【００１７】
梁５の下面にある下ボルト２３の頭部２３ａをボルト係止溝１３に納めて、ボルト係止溝１３の開口３１に目板３７を嵌めて隠しているので、意匠性が良い。
垂木取付金具４３は、垂木取付金具４３と垂木５３との間に上下の隙間を埋めるスペーサ部４７ｂを有しているため、垂木取付金具４３への垂木５３の取付けの際に隙間が狭くなり、垂木５３のネジ止め位置を容易に合わせることができ、施工が容易になる。
また、垂木取付金具４３はスペーサ部４７ｂを有しているため、スペーサ部４７ｂを別の部品として設ける場合と比較して部品点数と施工の工程数を削減できる。
【００１８】
本発明は、上述した実施の形態に限らず、本発明の要旨を逸脱しない範囲で種々変形可能である。
簡易建物１は、カーポートに限らず、サイクルポート、テラス、サンルーム、通路シェ
ルター等であってもよい。
上ボルト２１の数は、図４に示すように上下に各８本に限らず、６本、１０本等増減させてもよい。
垂木５３は、垂木取付金具４３を用いないで梁５の垂木取付部２７に直接に固定してもよい。
【符号の説明】
【００１９】
１      簡易建物
５      梁
１９    補強材
２１    上ボルト（ボルト）
２１ａ  頭部
２５    ボルト取付部
２７    垂木取付部
５３    垂木
【図１】
2018199978.tif 000003
【図２】
2018199978.tif 000004
【図３】
2018199978.tif 000005
【図４】
2018199978.tif 000006
【図５】
2018199978.tif 000007
【図６】
2018199978.tif 000008
【図７】
2018199978.tif 000009
【図８】
2018199978.tif 000010